(57)【要約】  第３世代パートナーシッププロジェクト（３ＧＰＰ）メディア独立ハンドオーバ（ＭＩＨ）サービスアクセスポイント（ＳＡＰ）は、サービスプリミティブをＭＩＨイベントサービス（１７０）にマップすることによって、ＭＩＨイベントサービス（ＩＥＥＥ８０２．２１イベントサービスなど）を提供するように構成されている。サービスプリミティブは、無線リソース（ＲＲ）層（１０５）、論理リンク制御（ＬＬＣ）層（１１０）、汎用パケット無線サービス（ＧＰＲＳ）移動管理（ＧＭＭ）層（１１５）、セッション管理（ＳＭ）層（１２０）、非アクセス階層（ＮＡＳ）（１３０）、アクセス階層（ＡＳ）（１３５）、およびＥ−ＵＴＲＡ（ｅｖｏｌｖｅｄ  ｕｎｉｖｅｒｓａｌ  ｔｅｒｒｅｓｔｒｉａｌ  ｒａｄｉｏ  ａｃｃｅｓｓ）／Ｅ−ＣＯＲＥ（ｅｖｏｌｖｅｄ  ｃｏｒｅ  ｎｅｔｗｏｒｋ）（１５０）システムのうちの少なくとも１つに由来する３ＧＰＰサービスプリミティブとすることができる。イベントサービス（１７０）は、リンクパラメータ変更イベントサービス、リンクアップイベントサービス、リンクゴーイングダウンイベントサービス、リンクダウンイベントサービス、ハンドオーバ完了イベントサービス、およびリンク検出イベントサービスを含むことができる。
2009515478.tif 000002
【特許請求の範囲】
【請求項１】
サービスプリミティブをイベントサービスにマップする方法であって、
少なくとも１つのサービスプリミティブを受信することと、
前記受信されたサービスプリミティブに基づいて、データベースにクエリを送信することと、
前記クエリに応答して、前記データベースから情報を取得することと、
前記データベースから取得された前記情報に基づいて、前記受信されたサービスプリミティブに対応するイベントサービスを提供することと
を備えることを特徴とする方法。
【請求項２】
前記イベントサービスは、リンクパラメータ変更イベントサービスであることを特徴とする請求項１に記載の方法。
【請求項３】
前記イベントサービスは、リンクアップイベントサービスであることを特徴とする請求項１に記載の方法。
【請求項４】
前記イベントサービスは、リンクダウンイベントサービスであることを特徴とする請求項１に記載の方法。
【請求項５】
前記イベントサービスは、ハンドオーバ完了イベントサービスであることを特徴とする請求項１に記載の方法。
【請求項６】
前記イベントサービスは、リンクゴーイングダウンイベントサービスであることを特徴とする請求項１に記載の方法。
【請求項７】
前記イベントサービスは、リンク検出イベントサービスであることを特徴とする請求項１に記載の方法。
【請求項８】
前記イベントサービスは、ＩＥＥＥ８０２．２１標準に従って提供されることを特徴とする請求項１に記載の方法。
【請求項９】
前記受信されたサービスプリミティブは、第３世代パートナーシッププロジェクト（３ＧＰＰ）サービスプリミティブであることを特徴とする請求項１に記載の方法。
【請求項１０】
前記サービスプリミティブは、無線リソース（ＲＲ）層から受信されることを特徴とする請求項１に記載の方法。
【請求項１１】
前記サービスプリミティブは、論理リンク制御（ＬＬＣ）層から受信されることを特徴とする請求項１に記載の方法。
【請求項１２】
前記サービスプリミティブは、汎用パケット無線サービス（ＧＰＲＳ）移動管理（ＧＭＭ）層から受信されることを特徴とする請求項１に記載の方法。
【請求項１３】
前記サービスプリミティブは、セッション管理（ＳＭ）層から受信されることを特徴とする請求項１に記載の方法。
【請求項１４】
前記サービスプリミティブは、非アクセス階層（ＮＡＳ）から受信されることを特徴とする請求項１に記載の方法。
【請求項１５】
前記サービスプリミティブは、アクセス階層（ＡＳ）から受信されることを特徴とする請求項１に記載の方法。
【請求項１６】
前記サービスプリミティブは、Ｅ−ＵＴＲＡ（ｅｖｏｌｖｅｄ  ｕｎｉｖｅｒｓａｌ  ｔｅｒｒｅｓｔｒｉａｌ  ｒａｄｉｏ  ａｃｃｅｓｓ）／Ｅ−ＣＯＲＥ（ｅｖｏｌｖｅｄ  ｃｏｒｅ  ｎｅｔｗｏｒｋ）システムから受信されることを特徴とする請求項１に記載の方法。
【請求項１７】
前記イベントサービスは、メディア独立ハンドオーバ（ＭＩＨ）イベントサービスであることを特徴とする請求項１に記載の方法。
【請求項１８】
サービスプリミティブをイベントサービスにマップする装置であって、
マッピングデータベースと、
前記データベースに結合されたプロセッサであって、少なくとも１つのサービスプリミティブを受信し、前記受信されたサービスプリミティブに基づいて、前記マッピングデータベースにクエリを送信し、前記クエリに応答して、前記マッピングデータベースから情報を取得し、前記マッピングデータベースから取得された前記情報に基づいて、前記受信されたサービスプリミティブに対応するイベントサービスを出力するように構成されているプロセッサと
を備えたことを特徴とする装置。
【請求項１９】
前記装置は、サービスアクセスポイント（ＳＡＰ）であることを特徴とする請求項１８に記載の装置。
【請求項２０】
前記イベントサービスは、リンクパラメータ変更イベントサービスであることを特徴とする請求項１８に記載の装置。
【請求項２１】
前記イベントサービスは、リンクアップイベントサービスであることを特徴とする請求項１８に記載の装置。
【請求項２２】
前記イベントサービスは、リンクダウンイベントサービスであることを特徴とする請求項１８に記載の装置。
【請求項２３】
前記イベントサービスは、ハンドオーバ完了イベントサービスであることを特徴とする請求項１８に記載の装置。
【請求項２４】
前記イベントサービスは、リンクゴーイングダウンイベントサービスであることを特徴とする請求項１８に記載の装置。
【請求項２５】
前記イベントサービスは、リンク検出イベントサービスであることを特徴とする請求項１８に記載の装置。
【請求項２６】
前記イベントサービスは、ＩＥＥＥ８０２．２１標準に従って提供されることを特徴とする請求項１８に記載の装置。
【請求項２７】
前記受信されたサービスプリミティブは、第３世代パートナーシッププロジェクト（３ＧＰＰ）サービスプリミティブであることを特徴とする請求項１８に記載の装置。
【請求項２８】
前記サービスプリミティブは、無線リソース（ＲＲ）層から受信されることを特徴とする請求項１８に記載の装置。
【請求項２９】
前記サービスプリミティブは、論理リンク制御（ＬＬＣ）層から受信されることを特徴とする請求項１８に記載の装置。
【請求項３０】
前記サービスプリミティブは、汎用パケット無線サービス（ＧＰＲＳ）移動管理（ＧＭＭ）層から受信されることを特徴とする請求項１８に記載の装置。
【請求項３１】
前記サービスプリミティブは、セッション管理（ＳＭ）層から受信されることを特徴とする請求項１８に記載の装置。
【請求項３２】
前記サービスプリミティブは、非アクセス階層（ＮＡＳ）から受信されることを特徴とする請求項１８に記載の装置。
【請求項３３】
前記サービスプリミティブは、アクセス階層（ＡＳ）から受信されることを特徴とする請求項１８に記載の装置。
【請求項３４】
前記サービスプリミティブは、Ｅ−ＵＴＲＡ（ｅｖｏｌｖｅｄ  ｕｎｉｖｅｒｓａｌ  ｔｅｒｒｅｓｔｒｉａｌ  ｒａｄｉｏ  ａｃｃｅｓｓ）／Ｅ−ＣＯＲＥ（ｅｖｏｌｖｅｄ  ｃｏｒｅ  ｎｅｔｗｏｒｋ）システムから受信されることを特徴とする請求項１８に記載の装置。
【請求項３５】
前記イベントサービスは、メディア独立ハンドオーバ（ＭＩＨ）イベントサービスであることを特徴とする請求項１８に記載の装置。
【発明の詳細な説明】
【技術分野】
【０００１】
本発明は、無線通信システムに関する。より詳細には、本発明は、ＩＥＥＥ８０２．２１標準内で定義される、第３世代パートナーシッププロジェクト（３ＧＰＰ）サービスプリミティブのメディア独立ハンドオーバ（ＭＩＨ）イベントサービスへのマッピングに関する。
【背景技術】
【０００２】
ＩＥＥＥ８０２．２１標準は、システム間ハンドオーバの実行および管理を支援する機構および手順に関連する。ＩＥＥＥ８０２．２１標準の下で、ハンドオーバ動作およびシステムディスカバリおよびシステム選択の管理を支援するために、移動管理（ＭＭ）アプリケーションによって３つの主なサービスにアクセスすることができる。これら３つのサービスは、イベントサービス、情報サービス、およびコマンドサービスを含み、これらは、コアネットワークに向けての通信をサポートする基礎を成すアクセス技術にかかわらず、共通の統一インターフェースを使用して、見込みユーザに配信される。
【０００３】
イベントサービスの配信をサポートする方法は、基礎を成す技術の広く行き渡っている特徴に基づいて、イベントがいつトリガされることになるかを決定するのに必要とされる。基礎を成す技術は、３ＧＰＰ仕様、３ＧＰＰ２および無線ローカルエリアネットワーク（ＷＬＡＮ）（ＩＥＥＥ８０２．１１やＩＥＥＥ８０２．１６など）などによってサポートすることができる。
【発明の開示】
【発明が解決しようとする課題】
【０００４】
現在、３ＧＰＰの基礎を成す層によって提供される情報に基づいて、上位層に向けてトリガを生成するための手順や機能はない。ＩＥＥＥ８０２．２１仕様は、上位層に送信されるべきトリガの概要を記載している。しかし、ＩＥＥＥ８０２．２１仕様は、基礎を成す物理的なリソースが３ＧＰＰ技術に基づいているとき、イベントがどのようにトリガされるかを記載していない。したがって、これらのトリガを生成することができる方法が必要である。
【課題を解決するための手段】
【０００５】
本発明は、サービスプリミティブをＭＩＨイベントサービスにマップすることによってＭＩＨイベントサービス（ＩＥＥＥ８０２．２１イベントサービスなど）を提供するように構成されている３ＧＰＰ−ＭＩＨサービスアクセスポイント（ＳＡＰ）に関連する。サービスプリミティブは、無線リソース（ＲＲ）層、論理リンク制御（ＬＬＣ）層、汎用パケット無線サービス（ＧＰＲＳ）移動管理（ＧＭＭ）層、セッション管理（ＳＭ）層、および非アクセス階層（ＮＡＳ）、アクセス階層（ＡＳ）、およびＥ−ＵＴＲＡ（ｅｖｏｌｖｅｄ  ｕｎｉｖｅｒｓａｌ  ｔｅｒｒｅｓｔｒｉａｌ  ｒａｄｉｏ  ａｃｃｅｓｓ）／Ｅ−ＣＯＲＥ（ｅｖｏｌｖｅｄ  ｃｏｒｅ  ｎｅｔｗｏｒｋ）システムのうちの少なくとも１つに由来する３ＧＰＰサービスプリミティブとすることができる。イベントサービスは、リンクパラメータ変更イベントサービス、リンクアップイベントサービス、リンクゴーイングダウンイベントサービス（ｌｉｎｋ  ｇｏｉｎｇ  ｄｏｗｎ  ｅｖｅｎｔ  ｓｅｒｖｉｃｅ）、リンクダウンイベントサービス、ハンドオーバ完了イベントサービス、およびリンク検出イベントサービスを含む。
【０００６】
本発明は、ハンドオーバ動作の決定に使用され得るイベントをトリガするために、３ＧＰＰ内ですでに定義されている既存のサービスプリミティブを使用する。これらのサービスプリミティブは、システム間ハンドオーバ動作を最適化する手段として、ＩＥＥＥ８０２．２１で定義されている具体的なＩＥＥＥ８０２．２１イベント上にマップされる。
【０００７】
本発明は、既存の３ＧＰＰ無線リソース管理（ＲＲＭ）、ＭＭ、およびセッション管理（ＳＭ）のサービスプリミティブを使用してＭＩＨイベントをトリガする方法を提供する。サービスプリミティブのマッピングの概念は、３ＧＰＰ仕様内のＬＴＥ（ｌｏｎｇ  ｔｅｒｍ  ｅｖｏｌｕｔｉｏｎ）およびＳＡＥ（ｓｙｓｔｅｍ  ａｒｃｈｉｔｅｃｔｕｒｅ  ｅｖｏｌｕｔｉｏｎ）内に導入されている移動管理手順および概念を使用して拡張される。
【０００８】
本発明は、ＩＥＥＥ８０２．１１ベースライン、ＩＥＥＥ８０２．１１ａ直交周波数分割多重（ＯＦＤＭ）５ＧＨｚ  ＷＬＡＮ、ＩＥＥＥ８０２．１１ｂ高速ダイレクトシーケンススペクトル拡散（ＨＲ−ＤＳＳＳ）２．４ＧＨｚ  ＷＬＡＮ、ＩＥＥＥ８０２．１１ｇ  ＯＦＤＭ  ２．４ＧＨｚ  ＷＬＡＮ、ＩＥＥＥ８０２．１１ｊ  ＯＦＤＭ  １０ＭＨｚオプションＷＬＡＮ、ＩＥＥＥ８０２．１１ｎ高スループットＷＬＡＮ、およびＩＥＥＥ８０２．１６広帯域無線アクセスシステムなどのＷＬＡＮベースラインエアインターフェース標準を含むＩＥＥＥ８０２標準に適用可能とすることができる。ＷＬＡＮ標準は、ＩＥＥＥ８０２．２１ＭＩＨなど、特定のシナリオ用に動作を拡張するように補完する。
【０００９】
また、本発明は、３ＧＰＰや３ＧＰＰ２などのセルラー標準、およびＩＥＥＥ８０２ＷＬＡＮに類似の他の標準化されるか、または独自の無線技術にも適用可能であり、例としては、特に、８０２．１５  ＢｌｕｅｔｏｏｔｈおよびＨＩＰＥＲＬＡＮ／２が含まれる。
【００１０】
例として提供され、添付の図面と共に理解される好ましい実施形態の以下の説明から本発明のより詳しい理解を有することができる。
【発明を実施するための最良の形態】
【００１１】
本発明は、ＩＥＥＥ８０２．２１仕様によって定義されるように、ＩＥＥＥ８０２．２１イベントにマップできる３ＧＰＰ内の既存のおよび新しい（ＬＴＥやＳＡＥなど）プリミティブの使用に基づく。
【００１２】
プリミティブは、情報機能、イベントまたはコマンドなどの機能の抽象表現である。
【００１３】
ＭＩＨイベントサービスは、リンク層の特性（すなわち最大提供スループット、サポート帯域幅など）、リンクステータス（すなわちリンクが動作可能であるかどうかのインジケータ）、およびリンク品質（低信号強度など）内の変化を分類し、フィルタし、報告する。また、イベントサービスは、物理層、データリンク層および論理リンク層の状態および伝送挙動における変化も示すことができる。さらに、イベントサービスは、管理行為の結果としての動作状態を示すために使用される。
【００１４】
図１は、３ＧＰＰ層プリミティブのマッピングモデルであり、３ＧＰＰ−ＭＩＨサービスアクセスポイント（ＳＡＰ）１００は、ＩＥＥＥ８０２．ｘｘ標準に従って、３ＧＰＰサービスプリミティブをＭＩＨイベントサービスにマップする。
【００１５】
図１に示されるように、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）無線アクセスネットワーク（ＧＥＲＡＮ）１２５に関連付けられた無線リソース（ＲＲ）層１０５、ＬＬＣ層１１０、汎用パケット無線サービス（ＧＰＲＳ）移動管理（ＧＭＭ）層１１５、およびセッション管理（ＳＭ）層１２０は、３ＧＰＰサービスプリミティブ１６０を３ＧＰＰ−ＭＩＨ  ＳＡＰ１００に送信する。さらに、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）サービス１４０の非アクセス階層（ＮＡＳ）１３０およびアクセス階層（ＡＳ）１３５は、３ＧＰＰサービスプリミティブ１６０をＳＡＰ１００に送信する。ＬＴＥシステム１４５は、３ＧＰＰサービスプリミティブ１６０を、Ｅ−ＵＴＲＡ（ｅｖｏｌｖｅｄ  ｕｎｉｖｅｒｓａｌ  ｔｅｒｒｅｓｔｒｉａｌ  ｒａｄｉｏ  ａｃｃｅｓｓ）およびＥ−ＣＯＲＥ（ｅｖｏｌｖｅｄ  ｃｏｒｅ  ｎｅｔｗｏｒｋ）層１５５を介してＳＡＰ１００に送信する。ＳＡＰは、３ＧＰＰサービスプリミティブ１６０の受信に応答して、ＭＩＨイベントサービス１７０を出力する。
【００１６】
図２は、図１の３ＧＰＰ−ＭＩＨ  ＳＡＰ１００の例示的なブロック図である。３ＧＰＰ−ＭＩＨ  ＳＡＰ１００は、プロセッサ２０５および３ＧＰＰ−ＭＩＨマッピングデータベース２１０を含む。ＳＡＰ１００が３ＧＰＰサービスプリミティブ１６０を受信すると、ＳＡＰ１００内のプロセッサ２０５は、機能的能力および潜在的パラメータに関して、３ＧＰＰサービスプリミティブ１６０を解釈（すなわち識別）する。次いでプロセッサ２０５は、こうした機能的能力およびパラメータに基づいて、マッピングデータベース２１０に問い合わせを行って、ＭＩＨイベントサービス１７０を取得し、出力する。
【００１７】
表１は、図１に示されているＧＥＲＡＮ１２５の層のそれぞれについて特定の３ＧＰＰサービスプリミティブを識別する。本発明によれば、以下の表１に示されているように、ＲＲ層１０５、ＬＬＣ層１１０、ＧＭＭ層１１５、およびＳＭ層１２０を介してＧＥＲＡＮ１２５によって生成された３ＧＰＰサービスプリミティブは、ＭＩＨイベントサービス（ＩＥＥＥ８０２．２１イベントなど）にマップされる。
【００１８】
【表１】
2009515478.tif 000003
【００１９】
図３は、ページがＲＲ層１０５によって受信されると、３ＧＰＰサービスプリミティブをＭＩＨイベントサービスにマップする一例である。上記の表１によって示されているように、図２に示されているＳＡＰ１００内のプロセッサ２０５は、ページがＲＲ層１０５によって受信されたことを示すＲＲ層１０５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００２０】
図４は、特定のＱｏＳをサポートするデータがＲＲ層１０５によって受信されると、３ＧＰＰサービスプリミティブをＭＩＨイベントサービスにマップする一例である。上記の表１によって示されているように、図２に示されているＳＡＰ１００内のプロセッサ２０５は、特定のＱｏＳをサポートするデータがＲＲ層１０５によって受信されたことを示すＲＲ層１０５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００２１】
図５は、ＬＬＣ層１１０によって示されるように、ピアＬＬＣ層が確立されると、３ＧＰＰサービスプリミティブをＭＩＨイベントサービスにマップする一例である。上記の表１によって示されているように、図２に示されているＳＡＰ１００内のプロセッサ２０５は、ピアＬＬＣ層が確立されたことを示すＬＬＣ層１１０からの３ＧＰＰサービスプリミティブの受信に応答して、リンクアップイベントサービスまたはリンクパラメータ変更イベントサービスを出力する。このＭＩＨイベントサービスは、ＩＥＥＥ８０２．２１など、任意のタイプの標準に適用可能である。
【００２２】
図６は、ＬＬＣ層１１０によって示されるように、ピアＬＬＣ層が解放されると、３ＧＰＰサービスプリミティブをＭＩＨイベントサービスにマップする一例である。上記の表１によって示されているように、図２に示されているＳＡＰ１００内のプロセッサ２０５は、ピアＬＬＣ層が解放されたことを示すＬＬＣ層１１０からの３ＧＰＰサービスプリミティブの受信に応答して、リンクゴーイングダウンイベントサービスまたはリンクパラメータ変更イベントサービスを出力する。このＭＩＨイベントサービスは、ＩＥＥＥ８０２．２１など、任意のタイプの標準に適用可能である。
【００２３】
図７は、ＬＬＣ層１１０によって示されるように、ＬＬＣ層の回復不能エラーが起こると、３ＧＰＰサービスプリミティブをＭＩＨイベントサービスにマップする一例である。上記の表１によって示されているように、図２に示されているＳＡＰ１００内のプロセッサ２０５は、ＬＬＣ層の回復不能エラーが起こったことを示すＬＬＣ層１１０からの３ＧＰＰサービスプリミティブの受信に応答して、リンクダウンイベントサービスを出力する。このＭＩＨイベントサービスは、ＩＥＥＥ８０２．２１など、任意のタイプの標準に適用可能である。
【００２４】
図８は、局がアタッチされたことをＧＭＭ層１１５が示すと、３ＧＰＰサービスプリミティブをＭＩＨイベントサービスにマップする一例である。上記の表１によって示されているように、図２に示されているＳＡＰ１００内のプロセッサ２０５は、局がアタッチされたことを示すＧＭＭ層１１５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００２５】
図９は、局がデタッチされたことをＧＭＭ層１１５が示すと、３ＧＰＰサービスプリミティブをＭＩＨイベントサービスにマップする一例である。上記の表１によって示されているように、図２に示されているＳＡＰ１００内のプロセッサ２０５は、局がデタッチされたことを示すＧＭＭ層１１５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００２６】
図１０は、データセッションがアクティブであることをＳＭ層１２０が示すと、３ＧＰＰサービスプリミティブをＭＩＨイベントサービスにマップする一例である。上記の表１によって示されているように、図２に示されているＳＡＰ１００内のプロセッサ２０５は、データセッションがアクティブであることを示すＳＭ層１２０からの３ＧＰＰサービスプリミティブの受信に応答して、リンクアップイベントサービスまたはリンクパラメータ変更イベントサービスを出力する。このＭＩＨイベントサービスは、ＩＥＥＥ８０２．２１など、任意のタイプの標準に適用可能である。
【００２７】
図１１は、データセッションが非アクティブにされたことをＳＭ層１２０が示すと、３ＧＰＰサービスプリミティブをＭＩＨイベントサービスにマップする一例である。上記の表１によって示されているように、図２に示されているＳＡＰ１００内のプロセッサ２０５は、データセッションが非アクティブにされたことを示すＳＭ層１２０からの３ＧＰＰサービスプリミティブの受信に応答して、リンクダウンイベントサービスまたはリンクパラメータ変更イベントサービスを出力する。このＭＩＨイベントサービスは、ＩＥＥＥ８０２．２１など、任意のタイプの標準に適用可能である。
【００２８】
図１２は、データセッションが変更されたことをＳＭ層１２０が示すと、３ＧＰＰサービスプリミティブをＭＩＨイベントサービスにマップする一例である。上記の表１によって示されているように、図２に示されているＳＡＰ１００内のプロセッサ２０５は、データセッションが変更されたことを示すＳＭ層１２０からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００２９】
図１３は、回復不能エラーのためにデータセッションが終了したことをＳＭ層１２０が示すと、３ＧＰＰサービスプリミティブをＭＩＨイベントサービスにマップする一例である。上記の表１によって示されているように、図２に示されているＳＡＰ１００内のプロセッサ２０５は、回復不能エラーのためにデータセッションが終了したことを示すＳＭ層１２０からの３ＧＰＰサービスプリミティブの受信に応答して、リンクダウンイベントサービスを出力する。このＭＩＨイベントサービスは、ＩＥＥＥ８０２．２１など、任意のタイプの標準に適用可能である。
【００３０】
図１４は、ＰＤＰコンテキストがアクティブであることをＳＭ層１２０が示すと、３ＧＰＰサービスプリミティブをＭＩＨイベントサービスにマップする一例である。上記の表１によって示されているように、図２に示されているＳＡＰ１００内のプロセッサ２０５は、ＰＤＰコンテキストがアクティブであることを示すＳＭ層１２０からの３ＧＰＰサービスプリミティブの受信に応答して、リンクアップイベントサービス、リンクパラメータ変更イベントサービスまたはハンドオーバ完了イベントサービスを出力する。このＭＩＨイベントサービスは、ＩＥＥＥ８０２．２１など、任意のタイプの標準に適用可能である。
【００３１】
図１５は、ＰＤＰコンテキストが変更されたことをＳＭ層１２０が示すと、３ＧＰＰサービスプリミティブをＭＩＨイベントサービスにマップする一例である。上記の表１によって示されているように、図２に示されているＳＡＰ１００内のプロセッサ２０５は、ＰＤＰコンテキストが変更されたことを示すＳＭ層１２０からの３ＧＰＰサービスプリミティブの受信に応答して、リンクアップイベントサービス、リンクパラメータ変更イベントサービスまたはハンドオーバ完了イベントサービスを出力する。このＭＩＨイベントサービスは、ＩＥＥＥ８０２．２１など、任意のタイプの標準に適用可能である。
【００３２】
図１６は、ＰＤＰコンテキストが非アクティブにされたことをＳＭ層１２０が示すと、３ＧＰＰサービスプリミティブをＭＩＨイベントサービスにマップする一例である。上記の表１によって示されているように、図２に示されているＳＡＰ１００内のプロセッサ２０５は、ＰＤＰコンテキストが非アクティブにされたことを示すＳＭ層１２０からの３ＧＰＰサービスプリミティブの受信に応答して、リンクゴーイングダウンイベントサービスまたはリンクダウンイベントサービスを出力する。このＭＩＨイベントサービスは、ＩＥＥＥ８０２．２１など、任意のタイプの標準に適用可能である。
【００３３】
表２は、図１に示されているＵＭＴＳ１４０およびＬＴＳシステム１４５の層のそれぞれについて特定の３ＧＰＰサービスプリミティブを識別する。本発明によれば、以下の表２に示されているように、ＮＡＳ１３０およびＡＳ１３５を介してＵＭＴＳ１４０によって生成された３ＧＰＰサービスプリミティブ、ならびにＥ−ＵＴＲＡ／Ｅ−ＣＯＲＥシステム１５０を介してＬＴＥによって生成された３ＧＰＰサービスプリミティブは、ＭＩＨイベントサービス（ＩＥＥＥ８０２．２１イベントなど）にマップされる。
【００３４】
【表２】
2009515478.tif 000004
【００３５】
【表３】
2009515478.tif 000005
【００３６】
図１７は、局がアタッチされたことをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、局がアタッチされたことを示すＮＡＳ１３０からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００３７】
図１８は、局がデタッチされたことをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、局がデタッチされたことを示すＮＡＳ１３０からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００３８】
図１９は、ＰＤＰコンテキストがアクティブであることをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、ＰＤＰコンテキストがアクティブであることを示すＮＡＳ１３０からの３ＧＰＰサービスプリミティブの受信に応答して、リンクアップイベントサービス、ハンドオーバ完了イベントサービスまたはリンクパラメータ変更イベントサービスを出力する。このＭＩＨイベントサービスは、ＩＥＥＥ８０２．２１など、任意のタイプの標準に適用可能である。
【００３９】
図２０は、ＰＤＰコンテキストが変更されたことをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、ＰＤＰコンテキストが変更されたことを示すＮＡＳ１３０からの３ＧＰＰサービスプリミティブの受信に応答して、リンクパラメータ変更イベントサービスまたはリンクアップイベントサービスを出力する。このＭＩＨイベントサービスは、ＩＥＥＥ８０２．２１など、任意のタイプの標準に適用可能である。
【００４０】
図２１は、ＰＤＰコンテキストが非アクティブにされたことをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、ＰＤＰコンテキストが非アクティブにされたことを示すＮＡＳ１３０からの３ＧＰＰサービスプリミティブの受信に応答して、リンクダウンイベントサービスまたはリンクパラメータ変更イベントサービスを出力する。このＭＩＨイベントサービスは、ＩＥＥＥ８０２．２１など、任意のタイプの標準に適用可能である。
【００４１】
図２２は、データ転送のためにＲＡＢがアクティブにされたことをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、データ転送のためにＲＡＢがアクティブにされたことを示すＮＡＳ１３０からの３ＧＰＰサービスプリミティブの受信に応答して、リンクアップイベントサービス、リンクパラメータ変更イベントまたはハンドオーバ完了イベントサービスを出力する。このＭＩＨイベントサービスは、ＩＥＥＥ８０２．２１など、任意のタイプの標準に適用可能である。
【００４２】
図２３は、データ転送のためにＲＡＢが非アクティブにされたことをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、データ転送のためにＲＡＢが非アクティブにされたことを示すＮＡＳ１３０からの３ＧＰＰサービスプリミティブの受信に応答して、リンクダウンイベントサービスまたはリンクパラメータ変更イベントサービスを出力する。このＭＩＨイベントサービスは、ＩＥＥＥ８０２．２１など、任意のタイプの標準に適用可能である。
【００４３】
図２４は、データ転送のためにＲＡＢが変更されたことをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、データ転送のためにＲＡＢが変更されたことを示すＮＡＳ１３０からの３ＧＰＰサービスプリミティブの受信に応答して、リンクパラメータ変更イベントサービス、リンクアップイベントサービス、またはハンドオーバ完了イベントサービスを出力する。このＭＩＨイベントサービスは、ＩＥＥＥ８０２．２１など、任意のタイプの標準に適用可能である。
【００４４】
図２５は、ＲＡＢデータ転送エラーが生じたことをＮＡＳ１３０が示すと、３ＧＰＰサービスプリミティブをＭＩＨイベントサービスにマップする一例である。上記の表２によって示されているように、図２に示されているＳＡＰ１００内のプロセッサ２０５は、ＲＡＢデータ転送エラーが生じたことを示すＮＡＳ１３０からの３ＧＰＰサービスプリミティブの受信に応答して、リンクダウンイベントサービスを出力する。このＭＩＨイベントサービスは、ＩＥＥＥ８０２．２１など、任意のタイプの標準に適用可能である。
【００４５】
図２６は、ＲＡＢがアクティブにされたことをＡＳ１３５が示すと、３ＧＰＰサービスプリミティブをＭＩＨイベントサービスにマップする一例である。上記の表２によって示されているように、図２に示されているＳＡＰ１００内のプロセッサ２０５は、ＲＡＢがアクティブにされたことを示すＮＡＳ１３０からの３ＧＰＰサービスプリミティブの受信に応答して、リンクアップイベントサービスまたはハンドオーバ完了イベントサービスを出力する。このＭＩＨイベントサービスは、ＩＥＥＥ８０２．２１など、任意のタイプの標準に適用可能である。
【００４６】
図２７は、ＲＡＢが解放されたことをＡＳ１３５が示すと、３ＧＰＰサービスプリミティブをＭＩＨイベントサービスにマップする一例である。上記の表２によって示されているように、図２に示されているＳＡＰ１００内のプロセッサ２０５は、ＲＡＢが解放されたことを示すＡＳ１３５からの３ＧＰＰサービスプリミティブの受信に応答して、リンクダウンイベントサービスを出力する。このＭＩＨイベントサービスは、ＩＥＥＥ８０２．２１など、任意のタイプの標準に適用可能である。
【００４７】
図２８は、ＡＳ１３５の障害が起こると、３ＧＰＰサービスプリミティブをＭＩＨイベントサービスにマップする一例である。上記の表２によって示されているように、図２に示されているＳＡＰ１００内のプロセッサ２０５は、ＡＳ１３５が故障したことを示すＡＳ１３５からの３ＧＰＰサービスプリミティブの受信に応答して、リンクダウンイベントサービスを出力する。このＭＩＨイベントサービスは、ＩＥＥＥ８０２．２１など、任意のタイプの標準に適用可能である。
【００４８】
図２９は、ＡＳ１３５が地理的エリアに関する情報をブロードキャストすると、３ＧＰＰサービスプリミティブをＭＩＨイベントサービスにマップする一例である。上記の表２によって示されているように、図２に示されているＳＡＰ１００内のプロセッサ２０５は、地理的エリアに関する情報を含むＡＳ１３５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００４９】
図３０は、ＡＳ１３５が特定のユーザまたは端末にページングの通知を提供すると、３ＧＰＰサービスプリミティブをＭＩＨイベントサービスにマップする一例である。上記の表２によって示されているように、図２に示されているＳＡＰ１００内のプロセッサ２０５は、特定のユーザまたは端末にページングの通知を提供するＡＳ１３５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００５０】
図３１は、ＡＳ１３５がすべてのユーザに通知を提供すると、３ＧＰＰサービスプリミティブをＭＩＨイベントサービスにマップする一例である。上記の表２によって示されているように、図２に示されているＳＡＰ１００内のプロセッサ２０５は、すべてのユーザに通知情報を提供するＡＳ１３５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００５１】
図３２は、ＡＳ１３５が１または複数のユーザに通知情報を提供すると、３ＧＰＰサービスプリミティブをＭＩＨイベントサービスにマップする一例である。上記の表２によって示されているように、図２に示されているＳＡＰ１００内のプロセッサ２０５は、１または複数のユーザに通知を提供するＡＳ１３５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００５２】
図３３は、ＵＥが開始した接続確立をＡＳ１３５が示すと、３ＧＰＰサービスプリミティブをＭＩＨイベントサービスにマップする一例である。上記の表２によって示されているように、図２に示されているＳＡＰ１００内のプロセッサ２０５は、ＵＥが開始した接続確立を示すＡＳ１３５からの３ＧＰＰサービスプリミティブの受信に応答して、リンクアップイベントサービスを出力する。このＭＩＨイベントサービスは、ＩＥＥＥ８０２．２１など、任意のタイプの標準に適用可能である。
【００５３】
図３４は、ネットワークが開始した接続解放をＡＳ１３５が示すと、３ＧＰＰサービスプリミティブをＭＩＨイベントサービスにマップする一例である。上記の表２によって示されているように、図２に示されているＳＡＰ１００内のプロセッサ２０５は、インフラストラクチャ側（すなわちネットワーク）が開始した接続解放を示すＡＳ１３５からの３ＧＰＰサービスプリミティブの受信に応答して、リンクダウンイベントサービスを出力する。このＭＩＨイベントサービスは、ＩＥＥＥ８０２．２１など、任意のタイプの標準に適用可能である。
【００５４】
図３５は、ネットワークが開始したＲＡＢ確立をＡＳ１３５が示すと、３ＧＰＰサービスプリミティブをＭＩＨイベントサービスにマップする一例である。上記の表２によって示されているように、図２に示されているＳＡＰ１００内のプロセッサ２０５は、インフラストラクチャ側（すなわちネットワーク）が開始したＲＡＢ確立を示すＡＳ１３５からの３ＧＰＰサービスプリミティブの受信に応答して、リンクアップイベントサービスまたはリンク検出イベントサービスを出力する。このＭＩＨイベントサービスは、ＩＥＥＥ８０２．２１など、任意のタイプの標準に適用可能である。
【００５５】
図３６は、ネットワークが開始したＲＡＢ解放をＡＳ１３５が示すと、３ＧＰＰサービスプリミティブをＭＩＨイベントサービスにマップする一例である。上記の表２によって示されているように、図２に示されているＳＡＰ１００内のプロセッサ２０５は、インフラストラクチャ側（すなわちネットワーク）が開始したＲＡＢ解放を示すＡＳ１３５からの３ＧＰＰサービスプリミティブの受信に応答して、リンクダウンイベントサービスを出力する。このＭＩＨイベントサービスは、ＩＥＥＥ８０２．２１など、任意のタイプの標準に適用可能である。
【００５６】
図３７は、ストリームライン化が行われない限り、中断接続の起こる可能性をＡＳ１３５が示すと、３ＧＰＰサービスプリミティブをＭＩＨイベントサービスにマップする一例である。上記の表２によって示されているように、図２に示されているＳＡＰ１００内のプロセッサ２０５は、ストリームライン化が行われない限り、中断接続の起こる可能性を示すＡＳ１３５からの３ＧＰＰサービスプリミティブの受信に応答して、リンクゴーイングダウンイベントサービスを出力する。このＭＩＨイベントサービスは、ＩＥＥＥ８０２．２１など、任意のタイプの標準に適用可能である。
【００５７】
図３８は、ＡＳ１３５が特定のＵＥについてネットワークによって提供された位置情報を示すと、３ＧＰＰサービスプリミティブをＭＩＨイベントサービスにマップする一例である。上記の表２によって示されているように、図２に示されているＳＡＰ１００内のプロセッサ２０５は、特定のＵＥについてネットワークによって提供された位置情報を示すＡＳ１３５からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００５８】
図３９は、ＡＳ１３５が接続損失を示すと、３ＧＰＰサービスプリミティブをＭＩＨイベントサービスにマップする一例である。上記の表２によって示されているように、図２に示されているＳＡＰ１００内のプロセッサ２０５は、接続損失を示すＡＳ１３５からの３ＧＰＰサービスプリミティブの受信に応答して、リンクダウンイベントサービスを出力する。このＭＩＨイベントサービスは、ＩＥＥＥ８０２．２１など、任意のタイプの標準に適用可能である。
【００５９】
図４０は、ＵＥの位置が現在ネットワークによって知られていることをＥ−ＵＴＲＡ／Ｅ−ＣＯＲＥシステム１５０が示すと、３ＧＰＰサービスプリミティブをＭＩＨイベントサービスにマップする一例である。上記の表２によって示されているように、図２に示されているＳＡＰ１００内のプロセッサ２０５は、ＵＥの位置が現在ネットワークによって知られていることを示すＥ−ＵＴＲＡ／Ｅ−ＣＯＲＥシステム１５０からの３ＧＰＰサービスプリミティブの受信に応答して、リンクパラメータ変更イベントサービスを出力する。このＭＩＨイベントサービスは、ＩＥＥＥ８０２．２１など、任意のタイプの標準に適用可能である。
【００６０】
図４１は、ＵＥの位置がネットワークに知られているが、トランスポートチャネルが確立されていないことをＥ−ＵＴＲＡ／Ｅ−ＣＯＲＥシステム１５０が示すと、３ＧＰＰサービスプリミティブをＭＩＨイベントサービスにマップする一例である。上記の表２によって示されているように、図２に示されているＳＡＰ１００内のプロセッサ２０５は、ＵＥの位置がネットワークに知られているが、トランスポートチャネルが確立されていないことを示すＥ−ＵＴＲＡ／Ｅ−ＣＯＲＥシステム１５０からの３ＧＰＰサービスプリミティブの受信に応答して、リンクパラメータ変更イベントサービスまたはリンクダウンイベントサービスを出力する。このＭＩＨイベントサービスは、ＩＥＥＥ８０２．２１など、任意のタイプの標準に適用可能である。
【００６１】
図４２は、無線リソースが確立されており、ＵＥがＰＤＵのＵＬおよびＤＬトランスポートを行うことができることをＥ−ＵＴＲＡ／Ｅ−ＣＯＲＥシステム１５０が示すと、３ＧＰＰサービスプリミティブをＭＩＨイベントサービスにマップする一例である。上記の表２によって示されているように、図２に示されているＳＡＰ１００内のプロセッサ２０５は、無線リソースが確立されており、ＵＥがＰＤＵのＵＬおよびＤＬトランスポートを行うことができることを示すＥ−ＵＴＲＡ／Ｅ−ＣＯＲＥシステム１５０からの３ＧＰＰサービスプリミティブの受信に応答して、リンクアップイベントサービスまたはリンクハンドオーバ完了イベントサービスを出力する。このＭＩＨイベントサービスは、ＩＥＥＥ８０２．２１など、任意のタイプの標準に適用可能である。
【００６２】
３ＧＰＰサービスプリミティブのＭＩＨイベントサービス（ＩＥＥＥ８０２．２１イベントなど）への特定のマッピングは変わり得ることに留意されたい。特に、ＳＡＥおよびＬＴＥのプリミティブは、現在、未定義のままである。しかし、本発明は、どのようにするとサービスプリミティブのイベントサービスへのマッピングを簡単に適合し、または使用してトリガを提供できるかを実証している。
【００６３】
（実施形態）
１．サービスプリミティブをイベントサービスにマップする方法であって、
少なくとも１つのサービスプリミティブを受信することと、
前記受信されたサービスプリミティブに基づいて、データベースにクエリを送信することと、
前記クエリに応答して、前記データベースから情報を取得することと、
前記データベースから取得された前記情報に基づいて、前記受信されたサービスプリミティブに対応するイベントサービスを提供することと
を備えることを特徴とする方法。
【００６４】
２．前記イベントサービスは、リンクパラメータ変更イベントサービスであることを特徴とする実施形態１に記載の方法。
【００６５】
３．前記イベントサービスは、リンクアップイベントサービスであることを特徴とする実施形態１に記載の方法。
【００６６】
４．前記イベントサービスは、リンクダウンイベントサービスであることを特徴とする実施形態１に記載の方法。
【００６７】
５．前記イベントサービスは、ハンドオーバ完了イベントサービスであることを特徴とする実施形態１に記載の方法。
【００６８】
６．前記イベントサービスは、リンクゴーイングダウンイベントサービスであることを特徴とする実施形態１に記載の方法。
【００６９】
７．前記イベントサービスは、リンク検出イベントサービスであることを特徴とする実施形態１に記載の方法。
【００７０】
８．前記イベントサービスは、ＩＥＥＥ８０２．２１標準に従って提供されることを特徴とする実施形態１〜７のいずれかに記載の方法。
【００７１】
９．前記受信されたサービスプリミティブは、第３世代パートナーシッププロジェクト（３ＧＰＰ）サービスプリミティブであることを特徴とする実施形態１〜８のいずれかに記載の方法。
【００７２】
１０．前記サービスプリミティブは、無線リソース（ＲＲ）層から受信されることを特徴とする実施形態１〜９のいずれかに記載の方法。
【００７３】
１１．前記サービスプリミティブは、論理リンク制御（ＬＬＣ）層から受信されることを特徴とする実施形態１〜９のいずれかに記載の方法。
【００７４】
１２．前記サービスプリミティブは、汎用パケット無線サービス（ＧＰＲＳ）移動管理（ＧＭＭ）層から受信されることを特徴とする実施形態１〜９のいずれかに記載の方法。
【００７５】
１３．前記サービスプリミティブは、セッション管理（ＳＭ）層から受信されることを特徴とする実施形態１〜９のいずれかに記載の方法。
【００７６】
１４．前記サービスプリミティブは、非アクセス階層（ＮＡＳ）から受信されることを特徴とする実施形態１〜９のいずれかに記載の方法。
【００７７】
１５．前記サービスプリミティブは、アクセス階層（ＡＳ）から受信されることを特徴とする実施形態１〜９のいずれかに記載の方法。
【００７８】
１６．前記サービスプリミティブは、Ｅ−ＵＴＲＡ（ｅｖｏｌｖｅｄ  ｕｎｉｖｅｒｓａｌ  ｔｅｒｒｅｓｔｒｉａｌ  ｒａｄｉｏ  ａｃｃｅｓｓ）／Ｅ−ＣＯＲＥ（ｅｖｏｌｖｅｄ  ｃｏｒｅ  ｎｅｔｗｏｒｋ）システムから受信されることを特徴とする実施形態１〜９のいずれかに記載の方法。
【００７９】
１７．前記イベントサービスは、メディア独立ハンドオーバ（ＭＩＨ）イベントサービスであることを特徴とする実施形態１〜１６のいずれかに記載の方法。
【００８０】
１８．サービスプリミティブをイベントサービスにマップする装置であって、
マッピングデータベースと、
前記データベースに結合されたプロセッサであって、少なくとも１つのサービスプリミティブを受信し、前記受信されたサービスプリミティブに基づいて、前記マッピングデータベースにクエリを送信し、前記クエリに応答して、前記マッピングデータベースから情報を取得し、前記マッピングデータベースから取得された前記情報に基づいて、前記受信されたサービスプリミティブに対応するイベントサービスを出力するように構成されているプロセッサと
を備えたことを特徴とする装置。
【００８１】
１９．前記装置は、サービスアクセスポイント（ＳＡＰ）であることを特徴とする実施形態１８に記載の装置。
【００８２】
２０．前記イベントサービスは、リンクパラメータ変更イベントサービスであることを特徴とする実施形態１８に記載の装置。
【００８３】
２１．前記イベントサービスは、リンクアップイベントサービスであることを特徴とする実施形態１８に記載の装置。
【００８４】
２２．前記イベントサービスは、リンクダウンイベントサービスであることを特徴とする実施形態１８に記載の装置。
【００８５】
２３．前記イベントサービスは、ハンドオーバ完了イベントサービスであることを特徴とする実施形態１８に記載の装置。
【００８６】
２４．前記イベントサービスは、リンクゴーイングダウンイベントサービスであることを特徴とする実施形態１８に記載の装置。
【００８７】
２５．前記イベントサービスは、リンク検出イベントサービスであることを特徴とする実施形態１８に記載の装置。
【００８８】
２６．前記イベントサービスは、ＩＥＥＥ８０２．２１標準に従って提供されることを特徴とする実施形態１８〜２５のいずれかに記載の装置。
【００８９】
２７．前記受信されたサービスプリミティブは、第３世代パートナーシッププロジェクト（３ＧＰＰ）サービスプリミティブであることを特徴とする実施形態１８〜２６のいずれかに記載の装置。
【００９０】
２８．前記サービスプリミティブは、無線リソース（ＲＲ）層から受信されることを特徴とする実施形態１８〜２７のいずれかに記載の装置。
【００９１】
２９．前記サービスプリミティブは、論理リンク制御（ＬＬＣ）層から受信されることを特徴とする実施形態１８〜２７のいずれかに記載の装置。
【００９２】
３０．前記サービスプリミティブは、汎用パケット無線サービス（ＧＰＲＳ）移動管理（ＧＭＭ）層から受信されることを特徴とする実施形態１８〜２７のいずれかに記載の装置。
【００９３】
３１．前記サービスプリミティブは、セッション管理（ＳＭ）層から受信されることを特徴とする実施形態１８〜２７のいずれかに記載の装置。
【００９４】
３２．前記サービスプリミティブは、非アクセス階層（ＮＡＳ）から受信されることを特徴とする実施形態１８〜２７のいずれかに記載の装置。
【００９５】
３３．前記サービスプリミティブは、アクセス階層（ＡＳ）から受信されることを特徴とする実施形態１８〜２７のいずれかに記載の装置。
【００９６】
３４．前記サービスプリミティブは、Ｅ−ＵＴＲＡ（ｅｖｏｌｖｅｄ  ｕｎｉｖｅｒｓａｌ  ｔｅｒｒｅｓｔｒｉａｌ  ｒａｄｉｏ  ａｃｃｅｓｓ）／Ｅ−ＣＯＲＥ（ｅｖｏｌｖｅｄ  ｃｏｒｅ  ｎｅｔｗｏｒｋ）システムから受信されることを特徴とする実施形態１８〜２７のいずれかに記載の装置。
【００９７】
３５．前記イベントサービスは、メディア独立ハンドオーバ（ＭＩＨ）イベントサービスであることを特徴とする実施形態１８〜３４のいずれかに記載の装置。
【００９８】
本発明の特徴および要素は、特定の組合せで好ましい実施形態に記載されているが、各特徴または要素は、単独で（好ましい実施形態の他の特徴および要素なしに）、または本発明の他の特徴および要素の有無にかかわらず様々な組合せで使用することができる。
【図面の簡単な説明】
【００９９】
【図１】本発明に従って、様々な３ＧＰＰエンティティから受信された３ＧＰＰサービスプリミティブをＭＩＨイベントサービスにマップする３ＧＰＰ−ＭＩＨ  ＳＡＰを示す図である。
【図２】図１のＭＩＨ−ＧＰＰ  ＳＡＰを示す例示的なブロック図である。
【図３】ページがＲＲ層によって受信されると、３ＧＰＰサービスプリミティブをＭＩＨイベントサービスにマップする一例を示す図である。
【図４】特定のサービス品質（ＱｏＳ）をサポートするデータがＲＲ層によって受信されると、３ＧＰＰサービスプリミティブをＭＩＨイベントサービスにマップする一例を示す図である。
【図５】ピアＬＬＣ層が確立されると、３ＧＰＰサービスプリミティブをＭＩＨイベントサービスにマップする一例を示す図である。
【図６】ピアＬＬＣ層が解放されると、３ＧＰＰサービスプリミティブをＭＩＨイベントサービスにマップする一例を示す図である。
【図７】ＬＬＣ層の回復不能エラーが起こると、３ＧＰＰサービスプリミティブをＭＩＨイベントサービスにマップする一例を示す図である。
【図８】局がアタッチされたことをＧＭＭ層が示すと、３ＧＰＰサービスプリミティブをＭＩＨイベントサービスにマップする一例を示す図である。
【図９】局がデタッチされたことをＧＭＭ層が示すと、３ＧＰＰサービスプリミティブをＭＩＨイベントサービスにマップする一例を示す図である。
【図１０】データセッションがアクティブであることをＳＭ層が示すと、３ＧＰＰサービスプリミティブをＭＩＨイベントサービスにマップする一例を示す図である。
【図１１】データセッションが非アクティブにされたことをＳＭ層が示すと、３ＧＰＰサービスプリミティブをＭＩＨイベントサービスにマップする一例を示す図である。
【図１２】データセッションが変更されたことをＳＭ層が示すと、３ＧＰＰサービスプリミティブをＭＩＨイベントサービスにマップする一例を示す図である。
【図１３】回復不能エラーのためにデータセッションが終了したことをＳＭ層が示すと、３ＧＰＰサービスプリミティブをＭＩＨイベントサービスにマップする一例を示す図である。
【図１４】パケットデータプロトコル（ＰＤＰ）コンテキストがアクティブであることをＳＭ層が示すと、３ＧＰＰサービスプリミティブをＭＩＨイベントサービスにマップする一例を示す図である。
【図１５】ＰＤＰコンテキストが変更されたことをＳＭ層が示すと、３ＧＰＰサービスプリミティブをＭＩＨイベントサービスにマップする一例を示す図である。
【図１６】ＰＤＰコンテキストが非アクティブにされたことをＳＭ層が示すと、３ＧＰＰサービスプリミティブをＭＩＨイベントサービスにマップする一例を示す図である。
【図１７】局がアタッチされたことをＮＡＳが示すと、３ＧＰＰサービスプリミティブをＭＩＨイベントサービスにマップする一例を示す図である。
【図１８】局がデタッチされたことをＮＡＳが示すと、３ＧＰＰサービスプリミティブをＭＩＨイベントサービスにマップする一例を示す図である。
【図１９】ＰＤＰコンテキストがアクティブであることをＮＡＳが示すと、３ＧＰＰサービスプリミティブをＭＩＨイベントサービスにマップする一例を示す図である。
【図２０】ＰＤＰコンテキストが変更されたことをＮＡＳが示すと、３ＧＰＰサービスプリミティブをＭＩＨイベントサービスにマップする一例を示す図である。
【図２１】ＰＤＰコンテキストが非アクティブにされたことをＮＡＳが示すと、３ＧＰＰサービスプリミティブをＭＩＨイベントサービスにマップする一例を示す図である。
【図２２】データ転送のために無線アクセスベアラ（ＲＡＢ）がアクティブにされたことをＮＡＳが示すと、３ＧＰＰサービスプリミティブをＭＩＨイベントサービスにマップする一例を示す図である。
【図２３】データ転送のためにＲＡＢが非アクティブにされたことをＮＡＳが示すと、３ＧＰＰサービスプリミティブをＭＩＨイベントサービスにマップする一例を示す図である。
【図２４】データ転送のためにＲＡＢが変更されたことをＮＡＳが示すと、３ＧＰＰサービスプリミティブをＭＩＨイベントサービスにマップする一例を示す図である。
【図２５】ＲＡＢデータ転送エラーが生じたことをＮＡＳが示すと、３ＧＰＰサービスプリミティブをＭＩＨイベントサービスにマップする一例を示す図である。
【図２６】ＲＡＢがアクティブにされたことをＡＳが示すと、３ＧＰＰサービスプリミティブをＭＩＨイベントサービスにマップする一例を示す図である。
【図２７】ＲＡＢが解放されたことをＡＳが示すと、３ＧＰＰサービスプリミティブをＭＩＨイベントサービスにマップする一例を示す図である。
【図２８】ＡＳ障害が起こると、３ＧＰＰサービスプリミティブをＭＩＨイベントサービスにマップする一例を示す図である。
【図２９】ＡＳが地理的エリアに関する情報をブロードキャストすると、３ＧＰＰサービスプリミティブをＭＩＨイベントサービスにマップする一例を示す図である。
【図３０】ＡＳが特定のユーザまたは端末にページングの通知を提供すると、３ＧＰＰサービスプリミティブをＭＩＨイベントサービスにマップする一例を示す図である。
【図３１】ＡＳがすべてのユーザに通知を提供すると、３ＧＰＰサービスプリミティブをＭＩＨイベントサービスにマップする一例を示す図である。
【図３２】ＡＳが１または複数のユーザに通知情報を提供すると、３ＧＰＰサービスプリミティブをＭＩＨイベントサービスにマップする一例を示す図である。
【図３３】ユーザ機器（ＵＥ）が開始した接続確立をＡＳが示すと、３ＧＰＰサービスプリミティブをＭＩＨイベントサービスにマップする一例を示す図である。
【図３４】ネットワークが開始した接続解放をＡＳが示すと、３ＧＰＰサービスプリミティブをＭＩＨイベントサービスにマップする一例を示す図である。
【図３５】ネットワークが開始したＲＡＢ確立をＡＳが示すと、３ＧＰＰサービスプリミティブをＭＩＨイベントサービスにマップする一例を示す図である。
【図３６】ネットワークが開始したＲＡＢ解放をＡＳが示すと、３ＧＰＰサービスプリミティブをＭＩＨイベントサービスにマップする一例を示す図である。
【図３７】ストリームライン化が行われない限り、中断接続の起こる可能性をＡＳが示すと、３ＧＰＰサービスプリミティブをＭＩＨイベントサービスにマップする一例を示す図である。
【図３８】ＡＳが特定のＵＥについてのネットワークによって提供された位置情報を示すと、３ＧＰＰサービスプリミティブをＭＩＨイベントサービスにマップする一例を示す図である。
【図３９】ＡＳが接続損失を示すと、３ＧＰＰサービスプリミティブをＭＩＨイベントサービスにマップする一例を示す図である。
【図４０】ＵＥの位置が現在ネットワークによって知られていることをＥ−ＵＴＲＡ／Ｅ−ＣＯＲＥシステムが示すと、３ＧＰＰサービスプリミティブをＭＩＨイベントサービスにマップする一例を示す図である。
【図４１】ＵＥの位置がネットワークに知られているが、トランスポートチャネルが確立されていないことをＥ−ＵＴＲＡ／Ｅ−ＣＯＲＥシステムが示すと、３ＧＰＰサービスプリミティブをＭＩＨイベントサービスにマップする一例を示す図である。
【図４２】無線リソースが確立されており、ＵＥがプロトコルデータユニット（ＰＤＵ）のアップリンク（ＵＬ）およびダウンリンク（ＤＬ）トランスポートを行うことができることをＥ−ＵＴＲＡ／Ｅ−ＣＯＲＥシステムが示すと、３ＧＰＰサービスプリミティブをＭＩＨイベントサービスにマップする一例を示す図である。
【図１】
2009515478.tif 000006
【図２】
2009515478.tif 000007
【図３】
2009515478.tif 000008
【図４】
2009515478.tif 000009
【図５】
2009515478.tif 000010
【図６】
2009515478.tif 000011
【図７】
2009515478.tif 000012
【図８】
2009515478.tif 000013
【図９】
2009515478.tif 000014
【図１０】
2009515478.tif 000015
【図１１】
2009515478.tif 000016
【図１２】
2009515478.tif 000017
【図１３】
2009515478.tif 000018
【図１４】
2009515478.tif 000019
【図１５】
2009515478.tif 000020
【図１６】
2009515478.tif 000021
【図１７】
2009515478.tif 000022
【図１８】
2009515478.tif 000023
【図１９】
2009515478.tif 000024
【図２０】
2009515478.tif 000025
【図２１】
2009515478.tif 000026
【図２２】
2009515478.tif 000027
【図２３】
2009515478.tif 000028
【図２４】
2009515478.tif 000029
【図２５】
2009515478.tif 000030
【図２６】
2009515478.tif 000031
【図２７】
2009515478.tif 000032
【図２８】
2009515478.tif 000033
【図２９】
2009515478.tif 000034
【図３０】
2009515478.tif 000035
【図３１】
2009515478.tif 000036
【図３２】
2009515478.tif 000037
【図３３】
2009515478.tif 000038
【図３４】
2009515478.tif 000039
【図３５】
2009515478.tif 000040
【図３６】
2009515478.tif 000041
【図３７】
2009515478.tif 000042
【図３８】
2009515478.tif 000043
【図３９】
2009515478.tif 000044
【図４０】
2009515478.tif 000045
【図４１】
2009515478.tif 000046
【図４２】
2009515478.tif 000047
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
第３世代パートナーシッププロジェクト（３ＧＰＰ）サービスプリミティブをメディア独立ハンドオーバ（ＭＩＨ）イベントサービスにマップする方法であって、
データセッションアクティブという３ＧＰＰサービスプリミティブ（ＳＭＳＭ−ＡＣＴＩＶＥ）を受信することと、
前記受信されたＳＭＳＭ−ＡＣＴＩＶＥ  ３ＧＰＰサービスプリミティブをリンクアップＭＩＨイベントサービスにマップすることと、
前記マップされたＭＩＨイベントサービスを提供することと
を備えることを特徴とする方法。
【請求項２】
データセッション非アクティブという３ＧＰＰサービスプリミティブ（ＳＭＳＭ−ＤＥＡＣＴＩＶＡＴＥ）を受信することと、
前記受信されたＳＭＳＭ−ＤＥＡＣＴＩＶＡＴＥ  ３ＧＰＰサービスプリミティブをリンクダウンＭＩＨイベントサービスにマップすることと、
前記マップされたＭＩＨイベントサービスを提供することと
をさらに備えることを特徴とする請求項１に記載の方法。
【請求項３】
データセッション変更という３ＧＰＰサービスプリミティブ（ＳＭＳＭ−ＭＯＤＩＦＹ）を受信することと、
前記受信されたＳＭＳＭ−ＭＯＤＩＦＹ  ３ＧＰＰサービスプリミティブをリンクパラメータ変更ＭＩＨイベントサービスにマップすることと、
前記マップされたＭＩＨイベントサービスを提供することと
をさらに備えることを特徴とする請求項１に記載の方法。
【請求項４】
回復不能エラーによりデータセッション終了という３ＧＰＰサービスプリミティブ（ＳＭＳＭ−ＳＴＡＴＵＳ）を受信することと、
前記受信されたＳＭＳＭ−ＳＴＡＴＵＳ  ３ＧＰＰサービスプリミティブをリンクダウンＭＩＨイベントサービスにマップすることと、
前記マップされたＭＩＨイベントサービスを提供することと
をさらに備えることを特徴とする請求項１に記載の方法。
【請求項５】
第３世代パートナーシッププロジェクト（３ＧＰＰ）サービスプリミティブをＭＩＨイベントサービスにマップするメディア独立ハンドオーバ（ＭＩＨ）機能であって、
データセッションアクティブという３ＧＰＰサービスプリミティブ（ＳＭＳＭ−ＡＣＴＩＶＥ）を受信する手段と、
前記受信されたＳＭＳＭ−ＡＣＴＩＶＥ  ３ＧＰＰサービスプリミティブをリンクアップＭＩＨイベントサービスにマップする手段と、
前記マップされたＭＩＨイベントサービスを提供する手段と
を備えたことを特徴とするＭＩＨ機能。
【請求項６】
データセッション非アクティブという３ＧＰＰサービスプリミティブ（ＳＭＳＭ−ＤＥＡＣＴＩＶＡＴＥ）を受信する手段と、
前記受信されたＳＭＳＭ−ＤＥＡＣＴＩＶＡＴＥ  ３ＧＰＰサービスプリミティブをリンクダウンＭＩＨイベントサービスにマップする手段と、
前記マップされたＭＩＨイベントサービスを提供する手段と
をさらに備えたことを特徴とする請求項５に記載のＭＩＨ機能。
【請求項７】
データセッション変更という３ＧＰＰサービスプリミティブ（ＳＭＳＭ−ＭＯＤＩＦＹ）を受信する手段と、
前記受信されたＳＭＳＭ−ＭＯＤＩＦＹ  ３ＧＰＰサービスプリミティブをリンクパラメータ変更ＭＩＨイベントサービスにマップする手段と、
前記マップされたＭＩＨイベントサービスを提供する手段と
をさらに備えたことを特徴とする請求項５に記載のＭＩＨ機能。
【請求項８】
回復不能エラーによりデータセッション終了という３ＧＰＰサービスプリミティブ（ＳＭＳＭ−ＳＴＡＴＵＳ）を受信する手段と、
前記受信されたＳＭＳＭ−ＳＴＡＴＵＳ  ３ＧＰＰサービスプリミティブをリンクダウンＭＩＨイベントサービスにマップする手段と、
前記マップされたＭＩＨイベントサービスを提供する手段と
をさらに備えたことを特徴とする請求項５に記載のＭＩＨ機能。
【請求項９】
第３世代パートナーシッププロジェクト（３ＧＰＰ）サービスプリミティブをメディア独立ハンドオーバ（ＭＩＨ）イベントサービスにマップする方法であって、
データ転送のために無線アクセスベアラがアクティブにされるという３ＧＰＰサービスプリミティブ（ＲＡＢＭＳＭ−ＡＣＴＩＶＡＴＥ）を受信することと、
前記受信されたＲＡＢＭＳＭ−ＡＣＴＩＶＡＴＥ  ３ＧＰＰサービスプリミティブをリンクアップＭＩＨイベントサービスにマップすることと、
前記マップされたＭＩＨイベントサービスを提供することと
を備えることを特徴とする方法。
【請求項１０】
データ転送のために無線アクセスベアラが非アクティブにされるという３ＧＰＰサービスプリミティブ（ＲＡＢＭＳＭ−ＤＥＡＣＴＩＶＡＴＥ）を受信することと、
前記受信されたＲＡＢＭＳＭ−ＤＥＡＣＴＩＶＡＴＥ  ３ＧＰＰサービスプリミティブをリンクダウンＭＩＨイベントサービスにマップすることと、
前記マップされたＭＩＨイベントサービスを提供することと
をさらに備えることを特徴とする請求項９に記載の方法。
【請求項１１】
データ転送のために無線アクセスベアラが変更されるという３ＧＰＰサービスプリミティブ（ＲＡＢＭＳＭ−ＭＯＤＩＦＹ）を受信することと、
前記受信されたＲＡＢＭＳＭ−ＭＯＤＩＦＹ  ３ＧＰＰサービスプリミティブをリンクパラメータ変更ＭＩＨイベントサービスにマップすることと、
前記マップされたＭＩＨイベントサービスを提供することと
をさらに備えることを特徴とする請求項９に記載の方法。
【請求項１２】
無線アクセスベアラデータ転送エラーという３ＧＰＰサービスプリミティブ（ＲＡＢＭＳＭ−ＳＴＡＴＵＳ）を受信することと、
前記受信されたＲＡＢＭＳＭ−ＳＴＡＴＵＳ  ３ＧＰＰサービスプリミティブをリンクダウンＭＩＨイベントサービスにマップすることと、
前記マップされたＭＩＨイベントサービスを提供することと
をさらに備えることを特徴とする請求項９に記載の方法。
【請求項１３】
無線アクセスベアラがアクティブにされたという３ＧＰＰサービスプリミティブ（ＲＡＢＭＡＳ−ＲＡＢ−ＥＳＴＡＢＬＩＳＨ）を受信することと、
前記受信されたＲＡＢＭＡＳ−ＲＡＢ−ＥＳＴＡＢＬＩＳＨ  ３ＧＰＰサービスプリミティブをハンドオーバ完了ＭＩＨイベントサービスにマップすることと、
前記マップされたＭＩＨイベントサービスを提供することと
をさらに備えることを特徴とする請求項９に記載の方法。
【請求項１４】
無線アクセスベアラが解放されたという３ＧＰＰサービスプリミティブ（ＲＡＢＭＡＳ−ＲＡＢ−ＲＥＬＥＡＳＥ）を受信することと、
前記受信されたＲＡＢＭＡＳ−ＲＡＢ−ＲＥＬＥＡＳＥ  ３ＧＰＰサービスプリミティブをリンクダウンＭＩＨイベントサービスにマップすることと、
前記マップされたＭＩＨイベントサービスを提供することと
をさらに備えることを特徴とする請求項９に記載の方法。
【請求項１５】
パケットデータプロトコル（ＰＤＰ）コンテキストが変更されるという３ＧＰＰサービスプリミティブ（ＳＭＲＥＧ−ＰＤＰ−ＭＯＤＩＦＹ）を受信することと、
前記受信されたＳＭＲＥＧ−ＰＤＰ−ＭＯＤＩＦＹ  ３ＧＰＰサービスプリミティブをリンクパラメータ変更ＭＩＨイベントサービスにマップすることと、
前記マップされたＭＩＨイベントサービスを提供することと
をさらに備えることを特徴とする請求項９に記載の方法。
【請求項１６】
第３世代パートナーシッププロジェクト（３ＧＰＰ）サービスプリミティブをＭＩＨイベントサービスにマップするメディア独立ハンドオーバ（ＭＩＨ）機能であって、
データ転送のために無線アクセスベアラがアクティブにされるという３ＧＰＰサービスプリミティブ（ＲＡＢＭＳＭ−ＡＣＴＩＶＡＴＥ）を受信する手段と、
前記受信されたＲＡＢＭＳＭ−ＡＣＴＩＶＡＴＥ  ３ＧＰＰサービスプリミティブをリンクアップＭＩＨイベントサービスにマップする手段と、
前記マップされたＭＩＨイベントサービスを提供する手段と
を備えたことを特徴とするＭＩＨ機能。
【請求項１７】
データ転送のために無線アクセスベアラが非アクティブにされるという３ＧＰＰサービスプリミティブ（ＲＡＢＭＳＭ−ＤＥＡＣＴＩＶＡＴＥ）を受信する手段と、
前記受信されたＲＡＢＭＳＭ−ＤＥＡＣＴＩＶＡＴＥ  ３ＧＰＰサービスプリミティブをリンクダウンＭＩＨイベントサービスにマップする手段と、
前記マップされたＭＩＨイベントサービスを提供する手段と
をさらに備えたことを特徴とする請求項１６に記載のＭＩＨ機能。
【請求項１８】
データ転送のために無線アクセスベアラが変更されるという３ＧＰＰサービスプリミティブ（ＲＡＢＭＳＭ−ＭＯＤＩＦＹ）を受信する手段と、
前記受信されたＲＡＢＭＳＭ−ＭＯＤＩＦＹ  ３ＧＰＰサービスプリミティブをリンクパラメータ変更ＭＩＨイベントサービスにマップする手段と、
前記マップされたＭＩＨイベントサービスを提供する手段と
をさらに備えたことを特徴とする請求項１６に記載のＭＩＨ機能。
【請求項１９】
無線アクセスベアラデータ転送エラーという３ＧＰＰサービスプリミティブ（ＲＡＢＭＳＭ−ＳＴＡＴＵＳ）を受信する手段と、
前記受信されたＲＡＢＭＳＭ−ＳＴＡＴＵＳ  ３ＧＰＰサービスプリミティブをリンクダウンＭＩＨイベントサービスにマップする手段と、
前記マップされたＭＩＨイベントサービスを提供する手段と
をさらに備えたことを特徴とする請求項１６に記載のＭＩＨ機能。
【請求項２０】
無線アクセスベアラがアクティブにされたという３ＧＰＰサービスプリミティブ（ＲＡＢＭＡＳ−ＲＡＢ−ＥＳＴＡＢＬＩＳＨ）を受信する手段と、
前記受信されたＲＡＢＭＡＳ−ＲＡＢ−ＥＳＴＡＢＬＩＳＨ  ３ＧＰＰサービスプリミティブをハンドオーバ完了ＭＩＨイベントサービスにマップする手段と、
前記マップされたＭＩＨイベントサービスを提供する手段と
をさらに備えたことを特徴とする請求項１６に記載のＭＩＨ機能。
【請求項２１】
無線アクセスベアラが解放されたという３ＧＰＰサービスプリミティブ（ＲＡＢＭＡＳ−ＲＡＢ−ＲＥＬＥＡＳＥ）を受信する手段と、
前記受信されたＲＡＢＭＡＳ−ＲＡＢ−ＲＥＬＥＡＳＥ  ３ＧＰＰサービスプリミティブをリンクダウンＭＩＨイベントサービスにマップする手段と、
前記マップされたＭＩＨイベントサービスを提供する手段と
をさらに備えたことを特徴とする請求項１６に記載のＭＩＨ機能。
【請求項２２】
パケットデータプロトコル（ＰＤＰ）コンテキストが変更されるという３ＧＰＰサービスプリミティブ（ＳＭＲＥＧ−ＰＤＰ−ＭＯＤＩＦＹ）を受信する手段と、
前記受信されたＳＭＲＥＧ−ＰＤＰ−ＭＯＤＩＦＹ  ３ＧＰＰサービスプリミティブをリンクパラメータ変更ＭＩＨイベントサービスにマップする手段と、
前記マップされたＭＩＨイベントサービスを提供する手段と
をさらに備えたことを特徴とする請求項１６に記載のＭＩＨ機能。
【請求項２３】
第３世代パートナーシッププロジェクト（３ＧＰＰ）サービスプリミティブをメディア独立ハンドオーバ（ＭＩＨ）イベントサービスにマップする方法であって、
ユーザ機器（ＵＥ）の位置が現在ネットワークに知られているという３ＧＰＰサービスプリミティブ（ＬＴＥ−ｄｅｔａｃｈｅｄ）を受信することと、
前記受信されたＬＴＥ−ｄｅｔａｃｈｅｄ  ３ＧＰＰサービスプリミティブをリンクパラメータ変更ＭＩＨイベントサービスにマップすることと、
前記マップされたＭＩＨイベントサービスを提供することと
を備えることを特徴とする方法。
【請求項２４】
ユーザ機器（ＵＥ）がネットワークに知られているが、トランスポートチャネルが確立されていないという３ＧＰＰサービスプリミティブ（ＬＴＥ−ｉｄｌｅ）を受信することと、
前記受信されたＬＴＥ−ｉｄｌｅ  ３ＧＰＰサービスプリミティブをリンクパラメータ変更ＭＩＨイベントサービスおよびリンクダウンＭＩＨイベントサービスの一方にマップすることと、
前記マップされたＭＩＨイベントサービスを提供することと
をさらに備えることを特徴とする請求項２３に記載の方法。
【請求項２５】
無線リソースが確立されており、ユーザ機器（ＵＥ）がパケットデータユニット（ＰＤＵ）のアップリンクおよびダウンリンクトランスポートを行うことができるという３ＧＰＰサービスプリミティブ（ＬＴＥ−Ａｃｔｉｖｅ）を受信することと、
前記受信されたＬＴＥ−Ａｃｔｉｖｅ  ３ＧＰＰサービスプリミティブをリンクアップＭＩＨイベントサービスおよびリンクハンドオーバ完了ＭＩＨイベントサービスの一方にマップすることと、
前記マップされたＭＩＨイベントサービスを提供することと
をさらに備えることを特徴とする請求項２３に記載の方法。
【請求項２６】
第３世代パートナーシッププロジェクト（３ＧＰＰ）サービスプリミティブをＭＩＨイベントサービスにマップするメディア独立ハンドオーバ（ＭＩＨ）機能であって、
ユーザ機器（ＵＥ）の位置が現在ネットワークに知られているという３ＧＰＰサービスプリミティブ（ＬＴＥ−ｄｅｔａｃｈｅｄ）を受信する手段と、
前記受信されたＬＴＥ−ｄｅｔａｃｈｅｄ  ３ＧＰＰサービスプリミティブをリンクパラメータ変更ＭＩＨイベントサービスにマップする手段と、
前記マップされたＭＩＨイベントサービスを提供する手段と
を備えたことを特徴とするＭＩＨ機能。
【請求項２７】
ユーザ機器（ＵＥ）がネットワークに知られているが、トランスポートチャネルが確立されていないという３ＧＰＰサービスプリミティブ（ＬＴＥ−ｉｄｌｅ）を受信する手段と、
前記受信されたＬＴＥ−ｉｄｌｅ  ３ＧＰＰサービスプリミティブをリンクパラメータ変更ＭＩＨイベントサービスおよびリンクダウンＭＩＨイベントサービスの一方にマップする手段と、
前記マップされたＭＩＨイベントサービスを提供する手段と
をさらに備えたことを特徴とする請求項２６に記載のＭＩＨ機能。
【請求項２８】
無線リソースが確立されており、ユーザ機器（ＵＥ）がパケットデータユニット（ＰＤＵ）のアップリンクおよびダウンリンクトランスポートを行うことができるという３ＧＰＰサービスプリミティブ（ＬＴＥ−Ａｃｔｉｖｅ）を受信する手段と、
前記受信されたＬＴＥ−Ａｃｔｉｖｅ  ３ＧＰＰサービスプリミティブをリンクアップＭＩＨイベントサービスおよびリンクハンドオーバ完了ＭＩＨイベントサービスの一方にマップする手段と、
前記マップされたＭＩＨイベントサービスを提供する手段と
をさらに備えたことを特徴とする請求項２６に記載のＭＩＨ機能。
【国際調査報告】
2009515478.tif 000048
2009515478.tif 000049